【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】
メイン情報記録領域に記録されるメイン情報の記録形態により情報記録再生装置を固有モードに制御する制御信号或いは所定の情報を定義付けする付加情報を保有してなり、
上記付加情報として、上記メイン情報を再生する毎にその記録形態を異にして記録することにより順次更新される再生回数情報を定義付けして保有することを特徴とする情報記録媒体。
【請求項２】
メイン情報記録領域に記録されるメイン情報の記録形態により情報記録再生装置を固有モードに制御する制御信号或いは所定の情報を定義付けする付加情報を保有してなり、上記付加情報として上記メイン情報を再生する毎にその記録形態を異にして記録することにより順次更新されて再生回数情報として定義付けして保有する情報記録媒体が用いられ、
少なくとも、記録或いは再生操作を設定する操作部と、上記情報記録媒体から記録情報を再生する再生部と、上記情報記録媒体に情報を記録する記録部と、各部に対して制御信号を出力する制御部とを備え、
上記操作部により再生操作が行われて上記再生部が上記情報記録媒体から上記メイン情報を読み出す際に上記付加情報の検出が行われるとともに、再生操作を終了して上記記録部により上記情報記録媒体に上記メイン情報を記録する際に記録形態を異にして記録することによって、上記再生回数情報を更新記録することを特徴とする情報記録再生装置。
【請求項３】
ユーザにより挿脱操作される可搬型の上記情報記録媒体が用いられることを特徴とする請求項２に記載の情報記録再生装置。
【請求項４】
上記情報記録媒体が内蔵した情報記録手段であることを特徴とする請求項２に記載の情報記録再生装置。
【請求項５】
上記付加情報を定義付けする記録形態を以って記録される複数の上記メイン情報が、再生可と定義付けする第２の付加情報を付した第１のメイン情報及び再生不可と定義付けする第３の付加情報を付した第２のメイン情報とからなる上記情報記録媒体が用いられ、
上記再生部により上記第１のメイン情報が所定回数の再生を行うことにより、上記記録部により上記第２のメイン情報を上記第３の付加情報を定義付けした記録形態から上記第２の付加情報を定義付けした記録形態に書き換えて記録することを特徴とする請求項２に記載の情報記録再生装置。
【請求項６】
それぞれ再生回数情報を定義付けする記録形態を以って複数のメイン情報を記録した上記情報記録媒体が用いられ、
上記再生部により上記情報記録媒体から上記メイン情報を読み出す際に、検出した上記再生回数情報に基づいて上記各メイン情報の再生順次を決定して再生を行うことを特徴とする請求項２に記載の情報記録再生装置。
【請求項７】
外部装置と接続されることにより新規のメイン情報が供給される外部入出力部を備え、
上記再生部において上記情報記録媒体から既記録メイン情報の上記再生回数情報が所定値以上であることを検出することにより、上記記録部により上記外部入出力部を介して上記外部装置から供給された新規メイン情報を初期値の再生回数情報を定義付けする記録形態を以って上記情報記録媒体或いは他の情報記録媒体に記録することを特徴とする請求項２に記載の情報記録再生装置。
【請求項８】
上記外部入出力部が、上記外部装置とともに課金システムと接続され、
上記外部入出力部を介して上記課金システムに対して所定の対価支払い処理を行うことにより、上記記録部によって上記情報記録媒体或いは他の情報記録媒体に上記新規メイン情報を記録することを特徴とする請求項７に記載の情報記録再生装置。
【請求項９】
メイン情報記録領域に記録されるメイン情報の記録形態により情報記録再生装置を固有モードに制御する制御信号或いは所定の情報を定義付けする付加情報を保有してなり、上記付加情報として上記メイン情報を再生する毎にその記録形態を異にして記録することにより順次更新される再生回数情報を定義付けして保有する情報記録媒体と、
少なくとも、記録或いは再生操作を設定する操作部と、上記情報記録媒体から記録情報を再生する再生部と、上記情報記録媒体に情報記録を行う記録部と、各部に対して制御信号を出力する制御部とを備える情報記録再生装置と用いられ、
上記操作部により再生操作が行われて上記再生部により上記情報記録媒体から上記メイン情報を読み出す際に上記付加情報を検出する処理と、
再生操作を終了して上記記録部により上記情報記録媒体に上記メイン情報を記録する際に、記録形態を異にして記録することによって上記再生回数情報を更新記録する処理と
を行うことを特徴とする情報記録再生方法。
【請求項１０】
メイン情報記録領域に記録されるメイン情報の記録形態により情報記録再生装置を固有モードに制御する制御信号或いは所定の情報を定義付けする付加情報を保有してなり、上記付加情報として上記メイン情報を再生する毎にその記録形態を異にして記録することにより順次更新される再生回数情報を定義付けして保有する情報記録媒体と、
少なくとも、記録或いは再生操作を設定する操作部と、上記情報記録媒体から記録情報を再生する再生部と、上記情報記録媒体に情報記録を行う記録部と、各部に対して制御信号を出力する制御部と、外部入出力部とを備える情報記録再生装置と、
多数の上記情報記録再生装置がそれぞれの上記外部入出力部を介して接続されることにより、新規メイン情報を提供する外部情報配信機関とから構成され、
上記情報記録再生装置により上記メイン情報の再生が行われて上記情報記録媒体に再記録される際に記録形態を異にして記録されることにより上記再生回数情報の更新が行われ、
上記情報記録再生装置からの上記外部情報配信機関に対する新規メイン情報の取得要求に際して、上記情報記録媒体に記録されたメイン情報の再生回数情報が検出され、この再生回数が所定値以上である場合に上記外部情報配信機関からの新規メイン情報の提供を許可して上記情報記録媒体に対して初期値の再生回数情報を定義付けする記録形態を以って記録する処理を行うことを特徴とする情報配信システム。
【手続補正２】
【補正対象書類名】明細書
【補正対象項目名】００２４
【補正方法】変更
【補正の内容】
【００２４】
情報記録媒体２として、例えば光磁気ディスクの基本的構成を図２に示す。光磁気ディスク２は、一般にディスクの定義情報やコントロール条件等の制御信号情報ＳＭが、内周領域と外周領域都とに構成されたコントロールトラック領域５ａ、５ｂにそれぞれ記録される。光磁気ディスク２は、内外のコントロールトラック領域５ａ、５ｂ間の領域が、フォーマット領域６としてユーザによるメイン情報Ｍの記録領域として構成される。光磁気ディスク２には、フォーマット領域６にスパイラル状或いは同心円状に記録トラック７が形成され、図３に示すようにメイン情報Ｍのデータが例えばピット形式で記録される。
【手続補正３】
【補正対象書類名】明細書
【補正対象項目名】００２５
【補正方法】変更
【補正の内容】
【００２５】
光磁気ディスク２においては、一般に図３の中央部の記録トラック７ａに示すように、メイン情報Ｍのデータを記録するデータピットｐ１〜ｐ３がそれぞれトラック中心線ｌ上に位置して記録される。また、光磁気ディスク２は、メイン情報Ｍに上述した付加情報ＡＭを定義付けするために、所定範囲のデータを記録するデータピットがトラック中心線ｌに対してトラック制御可能な範囲で上下にズラされて記録される。すなわち、光磁気ディスク２は、メイン情報ＭのデータＭ２のデータピットｐ４〜ｐ６が記録トラック７ｂのトラック中心線ｌに対してΔｘ分上側にズラして記録される。また、光磁気ディスク２は、データＭ３のデータピットｐ７〜ｐ９が記録トラック７ｃのトラック中心線ｌに対してΔｘ分下側にズラして記録される。
【手続補正４】
【補正対象書類名】明細書
【補正対象項目名】符号の説明
【補正方法】変更
【補正の内容】
【符号の説明】
１  情報記録再生装置、２  情報記録媒体、３  外部情報配信機関、４  外部課金処理機関、１１  操作部、１２  制御部、１３  記録再生部、１４  外部入出力部、１５  記録部、１６  再生部、１８  外部装置、２１  ネットワーク、２３  情報配信システム、２４，２５  金融サーバ